(57)【特許請求の範囲】
【請求項１】
学習机（Ｃ）又はそれの天板（Ｃ１）上に配設される書棚（Ｂ）に装備される照明装置であって、光源を、天板（Ｃ１）の左右方向に沿う横向き姿勢でほぼ直列状に配置される複数のランプ部（３）から構成するとともに、左右方向の両外側に位置するランプ部（３）の各々を、それの外側端部（３Ａ）側の縦軸芯（X）周りで前方側に突出する縦向き姿勢に変更操作自在に構成し、
学習机（Ｃ）又は書棚（Ｂ）に取付け可能な器具本体（１）から左右両側方に片持ち式の支持アーム（２）を延設し、各支持アーム（２）の先端部（２Ａ）側の各々に、前記ランプ部（３）の外側端部（３Ａ）を縦軸芯（X）周りで回動自在に装着して、左右一対のランプ部（３）を、それらの遊端部（３Ｂ）が左右方向で相対向する横向き姿勢と前方側に突出する縦向き姿勢とに変更操作自在に構成されている机上用照明装置。
【請求項２】
前記器具本体（１）と前記横向き姿勢にある前記各ランプ部（３）との相対向する部位には、ランプ部（３）の遊端部（３Ｂ）側を支持する状態でランプ部（３）を横向き姿勢で係合保持する仮止め手段（Ｅ）が設けられている請求項１記載の机上用照明装置。
【請求項３】
前記仮止め手段（Ｅ）を構成するのに、下方側に突出する位置決めピン（５０）を前記ランプ部（３）の遊端部（３Ｂ）側に設けるとともに、前記ランプ部（３）を横向き姿勢にした際に前記位置決めピン（５０）が乗り上げ係合する横向き溝（５１）を前記器具本体（１）のアーム保持部（４）の上面側に形成してある請求項２記載の机上用照明装置。
【請求項４】
前記各支持アームの先端部（２Ａ）と縦軸心（X）周りで回動自在に装着可能な回動用片（３Ｄ）を、前記各ランプ部（３）における前記横向き姿勢で後方側となる一側辺部の外側端部（３Ａ）側で前記後方側に向けて突出形成してある請求項１〜３のいずれか１項に記載の机上用照明装置。
【請求項５】
前記各支持アームの先端部（２Ａ）と縦軸心（X）周りで回動自在に装着可能な回動用片（３Ｄ）を、前記各ランプ部（３）における前記横向き姿勢で後方側となる一側辺部の外側端部（３Ａ）側で前記後方側に向けて突出形成するとともに、
前記位置決めピン（５０）を設けた舌片（５０Ａ）を前記各ランプ部（３）の前記一側片部の遊端部（３Ｂ）側で前記後方側に向けて突出形成してある請求項３記載の机上用照明装置。
【発明の詳細な説明】
【０００１】
【発明の属する技術分野】
本発明は、机の天板上に書棚を取付け取り外し可能に構成された学習机等に装備される机上用照明装置に関する。
【０００２】
【従来の技術】
近年、学童を対象とした一般的な学習机として、天板奥側に書棚を配備するとともに、この書棚を机本体に対して取付け取り外し可能にする構成のものが商品主流となっている。
そして、このような構成の学習机には、当然に書棚が取付けられた状態でも、書棚を取り除いた状態であっても装備可能な机上用照明装置が設けられている。この机上用照明装置の多くは、天板の左右方向に沿う蛍光灯を、書棚あるいは机本体に取付けるといった構成になっている。
【０００３】
【発明が解決しようとする課題】
ところが、このような机上用照明装置は、固定式で天板前方上方から照射される構成であるため、照射された光は、照射距離が長くなるほど光量が減少することから、天板手前に近づく程、暗くなってゆく傾向を示す。そのため、天板全面の照度分布には大きなばらつきがあり、天板全体を学習や作業面とする机利用等では、不満足な照明構成となっている。
このようなことを少しでも解決しようと従来にあっては、蛍光灯である机上用照明装置を前後に移動自在にして、暗い部分を明るくする手法をとって、前述の問題に対処しょうとする構成のものはよく知られている。また、実願昭５３−３４５０６号に開示されているものは、図１８に示すように一対の蛍光灯１００、１００を左右に振り分け、尚且つ、それぞれの蛍光灯１００の左右中央部側を回動中心として、遊端側の他端側を可動操作して、蛍光灯が左右に直列の配列状態から平面視でハの字状の配列状態にして前述の問題に対処しょうとする構成のものも存在している。
しかしながら、前者の構成の机上用照明装置は、蛍光灯が前後に移動させることができる距離は僅かなものばかりであり、蛍光灯直下の天板部の明るさを増減することができることはあっても、天板前面を均等な明るさにできるものではない。また、後者の構成の机上用照明装置は、天板中央部の明るさを増減することは認められても、天板全面を均等な明るさにできるものではなく、中央部から遠ざかる部位では依然として暗くなる傾向を示すものである。
【０００４】
本発明は、上述の実状に鑑みて為されたものであって、その主たる課題は、机の天板上面をほぼ均等な明るさにすることが可能であるとともに、天板上面の照明パターンを天板の利用内容によって選択することができる机上用照明装置を提供する点にある。
【０００５】
【課題を解決するための手段】
学習机又はそれの天板上に配設される書棚に装備される照明装置であって、光源を、天板の左右方向に沿う横向き姿勢でほぼ直列状に配置される複数のランプ部から構成するとともに、左右方向の両外側に位置するランプ部の各々を、それの外側端部側の縦軸芯周りで前方側に突出する縦向き姿勢に変更操作自在に構成していてもよい。
上記構成によれば、各ランプ部が、天板の左右方向に沿う横向き姿勢でほぼ直列状に配置される照明状態では、前方上方から天板上に光りが照射され、ランプ直下から天板中央部かけて最も明るい照明状態となり、左右方向の両外側に位置するランプ部の各々を、それの外側端部側の縦軸芯周りで前方側に突出する縦向き姿勢に変更配置される照明状態では、各ランプ部は天板上に直接位置するとともに、天板面を分配するように配置してあるので、天板全面でほぼ均等な光の照射状態となる。この縦向き姿勢の照射状態では、照射光が直接に目に入らないので、目の疲労も少なく良好な照明形態を構成することができる。
また、横向き姿勢の照明状態では、照射する光は天板で反射して、その反射光が直接に使用者の目に入ってくるので、反射が少なくはっきり見なければならないような場合には良好な照明環境を作り出すことができ、光が反射し易い写真等を見なければならないような場合、ランプ部を縦向き姿勢に変更して、側方からの照射光にすることで反射光が目に入らないようにして良好な照明環境を作り出すことができる。
しかも、左右のランプ部の照明姿勢を各別に変更することにより、照明の内容や質感も変わるので、それに合せて天板部を多様に利用することができる。
また、各ランプ部を縦向き姿勢にして天板全面を均等照射することで、両手作業時、あるいは、右利き、左利きに関係なく手暗がりにならないようにすることができ、あるいは、左側のランプ部のみを縦姿勢にして右利きの利用者が手暗がりにならないようにすることも、右側のランプ部のみを縦姿勢にして左利きの利用者が手暗がりにならないようにすることも、ランプ部の操作如何によって可能であるので、学習や作業が手暗がりならずに円滑に行なえるといった人間工学的な配慮が為されているので、使用面での信頼性が高く使い勝手がよい。
さらに、横向き姿勢での照明状態と、縦向き姿勢での照明状態とに各ランプ部が、変更操作可能であるとともに、各ランプ部をスイッチでＯＮ，ＯＦＦできるようにしておけば、現状に応じて、または、好みに応じて、各ランプ部を適宜に選択操作と、点灯か消灯かの選択操作を行なって、最も良好な照明状態で使用することが可能である。
【０００６】
また、各ランプ部の縦軸芯周りでの回動範囲が、天板上の範囲内に規制されていてもよい。
上記構成によれば、各ランプの有効な照明エリアが天板面上に存在する結果となるので、照射品質のよい照明装置を提供することができる。
【０００７】
また、学習机又は書棚に取付け可能な器具本体から左右両側方に支持アームを延設し、各支持アームの先端部側の各々に、前記ランプ部の外側端部を縦軸芯周りで回動自在に装着して、左右一対のランプ部を、それらの遊端部が左右方向で相対向する横向き姿勢と前方側に突出する縦向き姿勢とに変更操作自在に構成されていてもよい。
上記構成によれば、左右のランプ部が、天板の左右方向に沿う横向き姿勢でほぼ直列状に配置される照明状態では、前方上方から天板上に光りが照射され、ランプ直下から天板中央部かけて最も明るい照明状態となり、左右方向の両外側に位置するランプ部の各々を、それの外側端部側の縦軸芯周りで前方側に突出する縦向き姿勢に変更配置される照明状態では、左右のランプ部は机上板面上に位置するとともに、天板面を左右に分配するように配置されるので、天板全面がほぼ均等な光の照射を受ける照明状態となる。
しかも、左右のランプ部の照明位置を変更することにより、照明の内容や質感も変わるので、それに合せて天板面を多様に利用することができる。
【０００８】
また、前記支持アームを保持するアーム保持部と器具本体との間には、該器具本体に対してアーム保持部を昇降させる昇降調節手段が設けられていてもよい。
上記構成によれば、各ランプ部はアーム部に連結されているので、アーム部の昇降によってランプ部も昇降することになるので、上昇するほど天板面への光の照射が弱くなり、反対に、アーム部の下降によってランプ部も下降することになるので、下降するほど天板面への照射を強くすることができる。しかも、各ランプ部はアーム部と一体に昇降する構成であるから、天板面の光の強さ（照度）は天板面とランプ部と距離に比例する関係となる。
【０００９】
また、前記器具本体と横向き姿勢にある各ランプ部との相対向する部位には、ランプ部を横向き姿勢で係合保持する仮止め手段が設けられていてもよい。
上記構成によれば、各ランプ部天板の左右方向に沿う横向き姿勢では、仮止め手段により定位置に固定されるので、見栄えもよく、また、その仮止め状態では、常に同じ照明が得られ照明の安定度が高い。
本発明の机上用照明装置の第１特徴構成は、学習机又はそれの天板上に配設される書棚に装備される照明装置であって、光源を、天板の左右方向に沿う横向き姿勢でほぼ直列状に配置される複数のランプ部から構成するとともに、左右方向の両外側に位置するランプ部の各々を、それの外側端部側の縦軸芯周りで前方側に突出する縦向き姿勢に変更操作自在に構成し、
学習机又は書棚に取付け可能な器具本体から左右両側方に片持ち式の支持アームを延設し、各支持アームの先端部側の各々に、前記ランプ部の外側端部を縦軸芯周りで回動自在に装着して、左右一対のランプ部を、それらの遊端部が左右方向で相対向する横向き姿勢と前方側に突出する縦向き姿勢とに変更操作自在に構成されているとともに、
前記器具本体と横向き姿勢にある前記各ランプ部との相対向する部位には、ランプ部の遊端部側を支持する状態でランプ部を横向き姿勢で係合保持する仮止め手段が設けられている点にある。
本発明の机上用照明装置の第２特徴構成は、前記器具本体と前記横向き姿勢にある前記各ランプ部との相対向する部位には、ランプ部の遊端部側を支持する状態でランプ部を横向き姿勢で係合保持する仮止め手段が設けられている点にある。
本発明の机上用照明装置の第３特徴構成は、前記仮止め手段を構成するのに、下方側に突出する位置決めピンを前記ランプ部の遊端部側に設けるとともに、前記ランプ部を横向き姿勢にした際に前記位置決めピンが乗り上げ係合する横向き溝を前記器具本体のアーム保持部の上面側に形成してある点にある。
本発明の机上用照明装置の第４特徴構成は、前記各支持アームの先端部と縦軸心周りで回動自在に装着可能な回動用片を、前記各ランプ部における前記横向き姿勢で後方側となる一側辺部の外側端部側で前記後方側に向けて突出形成してある点にある。
本発明の机上用照明装置の第５特徴構成は、前記各支持アームの先端部と縦軸心周りで回動自在に装着可能な回動用片を、前記各ランプ部における前記横向き姿勢で後方側となる一側辺部の外側端部側で前記後方側に向けて突出形成するとともに、
前記位置決めピンを設けた舌片を前記各ランプ部の前記一側片部の遊端部側で前記後方側に向けて突出形成してある点にある。
【００１０】
【発明の実施の形態】
〔第１実施形態〕
図1〜図１５は、書棚Ｂが取付け取り外し自在に構成される学習机Ｃに、本発明の机上用照明装置Ａを適用した一例を示す。
机上用照明装置Ａは、学習机Ｃ又は書棚Ｂに取付け可能な器具本体１から左右両側方に片持ち式（つまり、基端側が他物に支持されている一方で先端側は他物に支持されていない方式）の支持アーム２が器具本体１に固定され、先端側を延設し、各支持アーム２の先端部２Ａ、２Ａ側の各々に、ランプ部３の外側端部３Ａを縦軸芯X周りで回動自在に装着して、左右一対のランプ部３，３を天板Ｃ１の左右方向に沿う横向き姿勢でほぼ直列状に配置される状態から，左右一対のランプ部３，３を、それらの遊端部３Ｂが左右方向で相対向する横向き姿勢と前方側に突出する縦向き姿勢とに変更操作自在に構成されている。また、図７には、右側のランプ部３のみを縦向き姿勢に変更操作して、右側の照明を強くする状態が開示され、図８には、左側のランプ部３のみを縦向き姿勢に変更操作して、左側の照明を強くする状態が開示され、図９には、両ランプ部３を横向き姿勢と縦向き姿勢に中間位置に変更操作して、天板Ｃ１中央部の照明を強くする状態が開示されている。
【００１１】
前記アーム部２の先端部２Ａを詳述すれば、図１１，図１２に示すようにアルミニュウム製のパイプからなる支持アーム２の先端に、アルミダイキャスト製の支持台２０の基部２０ａが内嵌固定され、この支持台２０の円柱先端部２０ｂをほぼ全長を外嵌する中継ぎ体２１上に一体形成された環状凸形態の回動受け部２１ａに、ランプ部３の合成樹脂製の傘部３Ｃに一体成型された下向き環状凹形態の回動部３Ｄ（具体的には、ランプ部３の傘部３Ｃにおける前記横向き姿勢で後方側となる一側辺部の外側端部（３Ａ）側で前記後方側に向けて突出形成された回動用片）を外嵌するとともに、回動部３Ｄを上下真ん中に位置するようにねじ付きの支持円盤２５を回動部３Ｄ上部に配置した状態で、回動部３Ｄの中心Xに形成された貫通孔を通して支持円盤２５のねじ部２５ａを回動受け部２１ａの中心ねじ孔２１ｂに螺合して、支持円盤２５と回動受け部２１ａとの間に回動部３Ｄを回動可能な保持状態にすることにより、ランプ部３を縦軸芯X周りで回動自在にすることが可能となっている。ここで、前記中継ぎ体２１及び支持円盤２５はともに合成樹脂から形成されている。
【００１２】
また、前記中継ぎ体２１の基端のリング状面２１ｃには、この面と対峙且対面する前記支持台２０の中間部に形成された環状鍔部２０ｃの片面に形成された半球状の凸部２０ｃに対する受け部となる半球状の凹部２１ｄが形成されているとともに、中継ぎ体２１の先端のリング状面２１ｅには、支持台２０の円柱先端部２０ｂを挿通させる貫通孔２１ｆより大径のコイルスプリング２３が収容される大径凹部２１ｇが形成され、中継ぎ体２１の先端部側から中心軸Ｚに沿って配備したねじ付き蓋２４のねじ部２４ａを、中継ぎ体２１に挿通された支持台２０の円柱先端部２１ｂの軸心に形成された雌ねじ部２０ｆに螺合して、コイルスプリング２３を圧縮状態にして、支持台２０に中継ぎ体２１を弾性力を介して圧接させる構成になっている。
このような構成にすることにより、通常の状態では、コイルスプリング２３の圧縮力によって中継ぎ体２１の凹部２１ｃに支持台２０の凸部２０ｄが嵌合する状態を維持しているので、ランプ部３は水平に保持されているが、不測なことで突発的で大きな衝撃力がランプ部３に加わり、コイルスプリング２３の圧縮力に勝る力が加わった場合、支持台２０に対して中継ぎ体２１が回動し、支持台２０の凸部２０ｄから中継ぎ体２１の凹部２１ｃがぬけだす結果、ランプ部３も一緒に回動することになる。
【００１３】
従って、ランプ部３が回動する衝撃力の大きさは、ランプ部３が破損してしまわない範囲に設定してあるので、ランプ部３が破損してしまうのを回動することで回避することができる構成となっている。また、回動してしまっても元の状態に回動操作することによって、元の状態に復帰させることができ、非常に信頼性の高い構成となってある。
【００１４】
前記ランプ部３は、光源として、例えば、折り畳みタイプで自動点灯可能な一般市販されている蛍光管３０（例えば天板Ｃ１までの距離が約５０ｃｍから８０ｃｍの間では十分な照度を形成する１８ｗ程度蛍光管）が取付けらている。また、ランプ部３内の蛍光管３０の背面側には、例えば、半透明の反射板３１が配置され、ランプ部３の下面には、蛍光管３０から照射される光を均一に散光させるための配光板３２が取付けられている。ここで、ランプ部３の光源として具体的なものとしては、普通の小型の蛍光管であってもよく、この場合、点灯に必要なグローや安定器等の点灯部品は、ランプ部３や器具本体１に分散は配備する構成のものであってもよい。
図中３３は、ランプ部３を回動操作しやすくするための傘部３Ｂに取付けられた取手である。
【００１５】
前記左右に配備されたランプ部３，３は、器具本体１の前面部に設けられたスイッチ３４，３４のそれぞれのＯＮ，ＯＦＦ操作によって、点灯と消灯が可能となっている。
【００１６】
前記机上用照明装置Ａは、前記支持アーム２を保持するアーム保持部４と器具本体１との間には、該器具本体１に対してアーム保持部４を昇降させる昇降調節手段Ｄが設けられている。ここで、机上用照明装置Ａは、例えば、図４に示すように書棚Ｂの棚板１０に形成された貫通孔を通して、ボルト７０を器具本体１底部の雌ねじ部に螺合して書棚Ｂに連結されている。前記アーム保持部４は、図１５に示すように支持アーム２に対応する受け形状に形成されたアルミダイキャスト製の下型４Ａと上型４Ｂとで支持アーム２の中央部を挟み込んで、下型４Ｂに対して上型４Ａを円盤状の頭形状を有するねじ４Ｃを介して連結することにより、支持アーム２を挟持する構成となっている。
【００１７】
昇降調節手段Ｄは、器具本体１内に装備され、図１３に示すようにアーム保持部４の筒状の取付け基部４Ａを上端部に内嵌するとともに、下端に下蓋４０Ａが取付けられ、かつ、内部が配線経路４０Ｂに形成されたコ字状の周り止め溝付きの昇降用筒体４０と、一部切欠き状態で昇降用筒体４０の形状に対応して包囲する包囲筒部４１ａを有するとともに、この包囲部の外側に位置し左右の切欠き端部と一体的に連結される昇降用筒体４０の軸芯Ｑと直交する軸芯Ｒに挿通孔４１ｂが形成された受板４１ｃ，４１ｃを有する受圧体４１と、各受圧板４１ｃ、４０ｃの挿通孔４０ｂ，４０ｂに跨って挿通された両端に同方向に雌ねじ加工されたねじ杆４２と、このねじ杆４の両端に各別に螺入するとともに、器具本体１の両側部から操作可能に露出する操作摘み４３，４３とから構成されている。
【００１８】
このような構成の昇降調節手段Ｄであれば、、操作摘み４３，４３を左右の手で受圧板４１が昇降用筒体４０を締付ける状態に摘み操作すると、昇降用筒体４０は受圧板４１に拘束され、その位置に昇降用筒体４０を停止させることができ、反対に、操作摘み４３，４３を停止とは逆の摘み操作すると、昇降用筒体４０は受圧板４１の拘束が解かれ、昇降用筒体４０を上下動自在な状態にすることができる。また、器具本体１内部には、昇降用筒体４０の最下降位置には、図示しないが下降阻止台が配備されおり、また、この最下降位置に昇降用筒体４０が位置していても、器具本体１から昇降用筒体４０の上端部は露出する構成になっている。
【００１９】
前記器具本体１と横向き姿勢にある各ランプ部３、３との相対向する部位には、ランプ部３を横向き姿勢で係合保持する仮止め手段Ｅが設けられている
具体的には、図14、図１５に示すように、各ランプ部３の遊端側３Ｂに設けた舌片５０Ａに、下方側に突出する位置決めピン５０を設けるとともに、器具本体１のアーム保持部４の上面側に、ランプ部３を横向き姿勢にした際に前記位置決めピン５０が僅かに乗り上げ係合する横向き溝５１が形成されて構成されている。
また、横向き溝５１に対する位置決めピン５０の係合は、ランプ部３とアーム先端部２Ａとの連結部の遊びを利用して、ランプ部３の遊端側をわずかに遊び分だけ持ち上げて手前側に回動操作することによって解除することができる。
【００２０】
尚、書棚Ｂを取り外した状態では、机上用照明装置Ａは、図示しないが天板Ｃの端縁部を挟み込み可能なクランプを用いて取付けが可能となっている。
【００２１】
〔第２実施形態〕
上述の第１実施形態における複数のランプ部３、３は、書棚Ｂに取付けられた一つの器具本体１を介して取付けられていたが本発明はこれに限られることはなく、図１６に示すように、書棚Ｂの背板Ｂ１に同一高さ位置に左右に器具本体１、１を振り分けて取付けて、この器具本体１に対して、縦軸芯Ｘ１周りでランプ部３を回動自在にする構成であってもよい。
このような構成であっても、天板Ｃ１の左右方向に沿う横向き姿勢でほぼ直列状に配置される複数のランプ部３から構成するとともに、左右方向の両外側に位置するランプ部３の各々を、それの外側端部側の縦軸芯周りＸ１で前方側に突出する縦向き姿勢に変更操作自在にすることが可能である。
【００２２】
尚、その他の構成は、第１実施形態で説明した構成と同一であるから、同一の構成箇所には、第１実施形態と同一の番号を付記してそれの説明は省略する。
【００２３】
〔第３実施形態〕
図１７には、天板Ｃ１の左右方向に沿う横向き姿勢でほぼ直列状に配置される３のランプ部３，３Ｍ，３から構成するとともに、中央の固体ランプ部３Ｍを除く、左右方向の両外側に位置するランプ部３，３の各々を、それの外側端部側の縦軸芯Ｘ２周りで前方側に突出する縦向き姿勢に変更操作自在にする構成の例を示す。
【００２４】
上記特徴構成によれば、各ランプ部３，３Ｍ，３が、天板Ｃ１の左右方向に沿う横向き姿勢でほぼ直列状に配置される照明状態では、前方上方から天板Ｃ１上に光りが照射され、天板Ｃ１中央部が最も明るい照明状態となり、左右の両外側に位置するランプ部３，３の各々を、それの外側端部側の縦軸芯Ｘ２周りで前方側に突出する縦向き姿勢に変更配置される照明状態では、各ランプ部は天板Ｃ１上に直接位置するとともに、中央の固定ランプ部３Ｍは、左右のランプ部３，３の中央に位置して、天板Ｃ１面を３分配するように配置状態となるので、天板Ｃ１全面でほぼ均等な光の照射状態となる。
しかも、左右のランプ部の照明状態を変更することにより、照明の内容や質感も変わるので、それに合せて天板Ｃ１部を多様に利用することができる。
【００２５】
尚、その他の構成は、第１実施形態で説明した構成と同一であるから、同一の構成箇所には、第１実施形態と同一の番号を付記してそれの説明は省略する。
【図面の簡単な説明】
【図１】本発明の第１実施形態の机上用照明装置が横向き姿勢にある状態を示す平断面図
【図２】机上用照明装置が縦向き姿勢にある状態を示す平断面図
【図３】机上用照明装置が横向き姿勢にある状態を示す正面図
【図４】机上用照明装置が横向き姿勢にある状態を示す側断面図
【図５】机上用照明装置が縦向き姿勢にある状態を示す側断面図
【図６】机上用照明装置が横向き姿勢にある状態を要部のみ示す正面図
【図７】左右のランプ部の姿勢を変えた状態の平断面図
【図８】左右のランプ部の姿勢を変えた状態の平断面図
【図９】左右のランプ部の姿勢を変えた状態の平断面図
【図１０】アーム先端部を示す分解斜視図
【図１１】アーム先端部を示す断面図
【図１２】アーム保持部を示す断面図
【図１３】器具本体と昇降調節手段との関係を示す説明図であり、
（イ）は器具本体に昇降調節手段を組付けた状態を斜視図で示す説明図
（ロ）昇降調節手段を斜視図で示す説明図
【図１４】ランプ部の位置決めピンと取手を示す簡略側面図
【図１５】ランプ部の位置決めピンと凹溝との関係を示す要部平面図
【図１６】第２実施形態の机上用照明装置を示す平断面図
【図１７】第３実施形態の机上用照明装置を示す平断面図
【図１８】従来の机上照明装置を示す平面図
【符号の説明】
Ａ      机上用照明装置
Ｂ      書棚
Ｃ      学習机
Ｃ１    天板
Ｄ      昇降調節手段
Ｅ      仮止め手段
１      器具本体
２      支持アーム
３      ランプ部
４      アーム保持部
【図１】
0004371476.tif 000002
【図２】
0004371476.tif 000003
【図３】
0004371476.tif 000004
【図４】
0004371476.tif 000005
【図５】
0004371476.tif 000006
【図６】
0004371476.tif 000007
【図７】
0004371476.tif 000008
【図８】
0004371476.tif 000009
【図９】
0004371476.tif 000010
【図１０】
0004371476.tif 000011
【図１１】
0004371476.tif 000012
【図１２】
0004371476.tif 000013
【図１３】
0004371476.tif 000014
【図１４】
0004371476.tif 000015
【図１５】
0004371476.tif 000016
【図１６】
0004371476.tif 000017
【図１７】
0004371476.tif 000018
【図１８】
0004371476.tif 000019